(57)【要約】【課題】床面の木口面と掘り座卓の蓋枠本体の樹脂枠の木口面とを弾着して、掘り座卓の蓋枠の取付けが簡単にでき、しかも隙間なく足がつまずくこともなく安全に平面状に形成することができる掘り座卓の蓋枠と床面との接続構造を提供するものである。【解決手段】掘り座卓の蓋枠本体１の四周の木口面２に略コ字状をした樹脂枠本体３を係止する係止部４を設けるとともに床面５の木口面６に接触する弾性を有する接触部７とを設けた樹脂枠８とからなり、該床面５の木口面６の上端縁に固着した樹脂板Ｂを固着し、床面５の木口面６と掘り座卓の蓋枠本体１の樹脂枠８の木口面２とを弾着する。【選択図】　　　　図３
2004143765.tif 000002
【特許請求の範囲】
【請求項１】
掘り座卓の蓋枠本体の四周の木口面に、略コ字状をした樹脂枠本体を係止する係止部を設けるとともに床面の木口面に接触する弾性を有する接触部とを設けた樹脂枠を挿着した掘り座卓の蓋枠と、床面の木口面の上端縁に固着した樹脂板を固着し、該床面の木口面と掘り座卓の蓋枠の樹脂枠の接触部とを弾着することを特徴とする掘り座卓の蓋枠と床面との接続構造。
【請求項２】
上記床面の上端縁に固着した樹脂板の上面と、樹脂枠の上面とを略同一高さとして床面と樹脂枠との木口面とを弾着することを特徴とする請求項１記載の掘り座卓の蓋枠と床面との接続構造。
【請求項３】
上記掘り座卓の蓋枠の樹脂枠及び床面の樹脂板とが、各々掘り座卓の蓋枠本体及び床面に両面テープで接着されていることを特徴とする請求項１又は請求項２記載の掘り座卓の蓋枠と床面との接続構造。
【請求項４】
上記床面の樹脂板が、裏面に両面テープが接着されたコーナー部材と直線部材とで構成され、該コーナー部材の裏面に設けられた空洞部に直線部材を挿着することを特徴とする請求項１乃至請求項３のいずれかに記載された掘り座卓の蓋枠と床面との接続構造。
【請求項５】
上記掘り座卓の蓋枠の樹脂枠及び床面の樹脂板とが、ＡＢＳ樹脂で成形されていることを特徴とする請求項１乃至請求項４のいずれかに記載された掘り座卓の蓋枠と床面との接続構造。
【発明の詳細な説明】
【０００１】
【発明の属する技術分野】
本発明は、掘り座卓の蓋枠を収納する際の掘り座卓の蓋枠と床面との接続構造に関するものである。
【０００２】
【従来の技術】
従来から掘枠の各コーナ部上に設けたコーナースペーサと、このコーナースペーサ両側の掘枠上部分に設けた框とを備え、このコーナースペーサの上面には、合成樹脂製のカバーを被せ、このカバーの堀枠内側をこの堀枠内に降下させ、この降下部は水平方向において掘枠外に向けて湾曲させた掘ごたつがある。
（例えば、特許文献１参照）
【０００３】
【特許文献１】
特開昭６０−１６２１２４号公報（第１−２頁、第１図、第２図、第３図）
【０００４】
このような、コーナースペーサ上に框を嵌着するものやコーナースペーサの上面を合成樹脂製のカバーで被うものがあるが、本願発明のように掘り座卓の蓋枠を不要時に床面として配設し、収納する際の掘り座卓の蓋枠と床面との接続構造ではない。したがって、床面の木口面と掘り座卓の蓋枠の樹脂枠の接触部とを弾着するものではない。
【０００５】
【発明が解決しようとする課題】
本発明は上記問題点の解決を目的とするものであり、床面の木口面と掘り座卓の蓋枠の樹脂枠の接触部とを弾着して、掘り座卓の蓋枠の取付けが簡単にでき、しかも隙間なく足がつまずくこともなく安全に平面状に形成することができる掘り座卓の蓋枠と床面との接続構造を提供するものである。
【０００６】
【課題を解決するための手段】
本発明の請求項１記載の掘り座卓の蓋枠と床面との接続構造は、掘り座卓の蓋枠本体の四周の木口面に略コ字状をした樹脂枠本体を係止する係止部を設けるとともに床面の木口面に接触する弾性を有する接触部とを設けた樹脂枠を挿着した掘り座卓の蓋枠と、床面の木口面の上端縁に固着した樹脂板を固着し、該床面の木口面と掘り座卓の蓋枠の樹脂枠の接触部とを弾着することを特徴とするものである。
【０００７】
したがって、床面の木口面と掘り座卓の蓋枠の樹脂枠の接触部とを弾着して、掘り座卓の蓋枠の取付けが簡単にでき、しかも隙間なく足がつまずくこともなく安全に平面状に形成することができるものである。
【０００８】
本発明の請求項２記載の掘り座卓の蓋枠と床面との接続構造は、請求項１記載の床面の上端縁に固着した樹脂板の上面と、樹脂枠の上面とを略同一高さとして床面と樹脂枠の接触部とを弾着することを特徴とするものである。
【０００９】
したがって、隙間なく足がつまずくこともなく安全に平面状に形成することができるものである。
【００１０】
本発明の請求項３記載の掘り座卓の蓋枠と床面との接続構造は、請求項１又は請求項２記載の掘り座卓の蓋枠の樹脂枠及び床面の樹脂板とが、各々掘り座卓の蓋枠本体及び床面に両面テープで接着されていることを特徴とするものである。したがって、掘り座卓の蓋枠の樹脂枠及び床面の樹脂板の施工が接着作業でできるので、現場施工が簡便である。
【００１１】
本発明の請求項４記載の掘り座卓の蓋枠と床面との接続構造は、請求項１乃至請求項３のいずれかに記載された床面の樹脂板が、裏面に両面テープが接着されたコーナー部材と直線部材とで構成され、該コーナー部材の裏面に設けられた空洞部に直線部材を挿着することを特徴とするものである。
【００１２】
したがって、床面への樹脂板の固着が、コーナー部材の裏面に設けられた空洞部に直線部材を挿着して両面テープで接着するので、直線部材が剥離して足がつまずくこともない。
【００１３】
本発明の請求項５記載の掘り座卓の蓋枠と床面との接続構造は、請求項１乃至請求項４のいずれかに記載された掘り座卓の蓋枠本体の樹脂枠及び床面の樹脂板とが、ＡＢＳ樹脂で成形されていることを特徴とするものである。
【００１４】
したがって、掘り座卓の蓋枠本体の樹脂枠及び床面の樹脂板の成形が簡単で密着力の良いものが形成される。
【００１５】
【発明の実施の形態】
図１乃至図８に示したように、本発明の実施形態に係わる掘り座卓の蓋枠と床面との接続構造であって、以下に説明する。
【００１６】
本発明の掘り座卓の蓋枠と床面との接続構造は、掘り座卓の蓋枠本体１の四周の木口面２に略コ字状をした樹脂枠本体３を係止する係止部４を設けるとともに床面５の木口面６に接触する弾性を有する接触部７とを設けた樹脂枠８を挿着した掘り座卓の蓋枠Ａと、床面５の木口面６の上端縁に固着した樹脂板Ｂを固着し、床面５の木口面６と掘り座卓の蓋枠Ａの樹脂枠８の木口面２とを弾着するものである。
【００１７】
このとき、床面５の上端縁に固着した樹脂板Ｂの上面と、樹脂枠８の上面とを略同一高さとして床面５と樹脂枠８との木口面６及び接触部７とを弾着しているので、隙間なく足がつまずくこともなく安全に平面状に形成できる。
【００１８】
さらに、この掘り座卓の蓋枠Ａの樹脂枠８及び床面５の樹脂板Ｂとは、各々掘り座卓の蓋枠本体１及び床面５に両面テープ９で接着されている。そのために、掘り座卓の蓋枠Ａの樹脂枠８及び床面５の樹脂板Ｂの取付けが接着作業でできるので、現場施工が簡便である。
【００１９】
また、上記床面５の樹脂板Ｂが、裏面に両面テープ９が接着されたコーナー部材１０と直線部材１１とで構成され、このコーナー部材１０の裏面に設けられた空洞部１２に直線部材１１を挿着して施工するものである。このように、床面５への樹脂板Ｂの固着が、コーナー部材１０の裏面に設けられた空洞部１２に直線部材１１を挿着して両面テープ９で接着するので、直線部材１１が剥離して足がつまずくこともない。
【００２０】
さらに、これらの掘り座卓の蓋枠本体１の樹脂枠８及び床面５の樹脂板Ｂとが、ＡＢＳ樹脂で成形されているので、掘り座卓の蓋枠本体１の樹脂枠８及び床面５の樹脂板Ｂの成形が簡単となり、密着力の良いものが形成される。
【００２１】
以下、本発明の一実施例に係わる掘り座卓の蓋枠と床面との接続構造について、図１〜図８に基づいて詳述する。
【００２２】
図１乃至図３において、掘り座卓の蓋枠Ａは、木質材や樹脂製でできた矩形状の掘り座卓の蓋枠本体１の四周の木口面２に、略コ字状をしたＡＢＳ製の樹脂枠本体３を係止する係止部４を設けるとともに床面５の木口面６に接触して弾性を附与するように空気層１３を有し接触部７を設けた樹脂枠８を装着したものである。このとき、樹脂枠８の係止部４は、水平片１４ａ，１４ｂの内部に相対向して立設されている。そして、この係止部４は、掘り座卓の蓋枠本体１の四周の木口面２に当接し、接着剤等で固着される。また、コーナーにおいても直線部分と連続して面一状態に固着されている。
【００２３】
図４に示したように、床面５の木口面６の上端縁には、平面状のＡＢＳ製の樹脂板本体の前部をアール形状に面取りし、この樹脂板本体の裏面側に両面テープ９が接着され樹脂板Ｂである。したがって、掘こたつや掘座卓等が入る開口部１５を形成し、この開口部１５の周縁の床面５の上端縁に、この樹脂板Ｂの両面テープ９の剥離紙をはがして接着固着するものである。
【００２４】
さらに、このＡＢＳ製の樹脂板Ｂは、図５乃至図７に示したような、裏面に両面テープ９が接着された直角状のコーナー部材１０を形成し、このコーナー部材１０の裏面には、空洞部１２が設けられている。そして、この樹脂板Ｂは、直線部材１１を直線部に両面テープ９の剥離紙（図示せず）をはがして接着した後、コーナーにおいてコーナー部材１０の両面テープ９の剥離紙をはがし、空洞部１２で直線部材１１を内挿してて接着固着するものである。このように、床面５への樹脂板Ｂの固着が、コーナー部材１０の裏面に設けられた空洞部１２に直線部材１１を挿着して両面テープ９で接着するので、直線部材１１が剥離して足がつまずくこともない。
【００２５】
これらの、掘り座卓の蓋枠Ａと床面５との接続構造は、図３及び図８に示したように、開口部１５の周縁の床面５の上端縁にコーナー部材１０と直線部材１１とから構成される樹脂板Ｂを、両面テープ９の剥離紙をはがし、空洞部１２で直線部材１１を内挿しながら接着固定するものである。その後、掘り座卓の蓋枠Ａの四周に固着された樹脂枠８の空気層１３を有する接触部７が床面５の木口面６に接触するようにして装着するものである。このとき、掘り座卓の蓋枠Ａの接触部７と床面５とは、弾性的に弾着される。さらに、床面５の上端縁に固着した樹脂板Ｂの上面と、樹脂枠８の上面とを略同一高さとして床面５と樹脂枠８との木口面２，６とを弾着しているので、平面状に形成することができ隙間なく足がつまずくこともなく安全である。
【００２６】
尚、掘り座卓の蓋枠Ａは、掘り座卓を使用しないときに開口部１５に設けられた受け桟木１６上に載置された状態にすることで床面５と開口部１５の上面とを足がつまずくこともなく面一に施工することができる。そして、掘りこたつや掘りテーブルを使用する際には、この受け桟木１６上にこの掘りこたつや掘りテーブルの脚部をを載置するものである。
【００２７】
そして、掘り座卓の蓋枠本体１の樹脂枠８及び床面５の樹脂板Ｂとは、両面テープ９で接着されている。そのために、掘り座卓の蓋枠本体１の樹脂枠８及び床面５の樹脂板Ｂの取付けが簡単に接着できる。
【００２８】
さらに、床面５の樹脂板Ｂが、裏面に両面テープ９が接着されたコーナー部材１０と直線部材１１とで構成され、このコーナー部材１０の裏面に設けられた空洞部１２に直線部材１１を挿着して施工するものである。このように、床面５への樹脂板Ｂの固着が、コーナー部材１０の裏面に設けられた空洞部１２に直線部材１１を挿着して両面テープ９で接着するので、直線部材１１が剥離して足がつまずくこともない。
【００２９】
【発明の効果】
上述の如く、本発明の請求項１記載の掘り座卓の蓋枠と床面との接続構造は、掘り座卓の蓋枠本体の四周の木口面に略コ字状をした樹脂枠本体を係止する係止部を設けるとともに床面の木口面に接触する弾性を有する接触部とを設けた樹脂枠を挿着した掘り座卓の蓋枠と、床面の木口面の上端縁に固着した樹脂板を固着し、床面の木口面と掘り座卓の蓋枠本体の樹脂枠の木口面とを弾着しているので、床面の木口面と掘り座卓の蓋枠本体の樹脂枠の木口面とを弾着して、掘り座卓の蓋枠の取付けが簡単にでき、しかも隙間なく足がつまずくこともなく安全に平面状に形成することができるものである。
【００３０】
本発明の請求項２記載の掘り座卓の蓋枠と床面との接続構造は、床面の上端縁に固着した樹脂板の上面と、樹脂枠の上面とを略同一高さとして床面と樹脂枠との木口面とを弾着しているので、ゴミの入る隙間なく、さらに足がつまずくこともないので安全である。
【００３１】
本発明の請求項３記載の掘り座卓の蓋枠と床面との接続構造は、掘り座卓の蓋枠の樹脂枠及び床面の樹脂板とが、各々掘り座卓の蓋枠本体及び床面に両面テープで接着されているので、掘り座卓の蓋枠本体の樹脂枠及び床面の樹脂板の施工が接着作業ででき、現場施工が簡便である。
【００３２】
本発明の請求項４記載の掘り座卓の蓋枠と床面との接続構造は、床面の樹脂板が、裏面に両面テープが接着されたコーナー部材と直線部材とで構成され、このコーナー部材の裏面に設けられた空洞部に直線部材を挿着するので、床面への樹脂板の固着が、コーナー部材の裏面に設けられた空洞部に直線部材を挿着して両面テープで接着することで、直線部材が剥離して足がつまずくこともない。
【００３３】
本発明の請求項５記載の掘り座卓の蓋枠と床面との接続構造は、掘り座卓の蓋枠の樹脂枠及び床面の樹脂板とが、ＡＢＳ樹脂で成形されているので、掘り座卓の蓋枠本体の樹脂枠及び床面の樹脂板の成形が簡単で密着力、肌触りの良いものである。
【図面の簡単な説明】
【図１】本発明の一実施例に係わる掘り座卓の蓋枠を床面の樹脂板の開口部に嵌着した状態の平面図である。
【図２】本発明の一実施例に係わる掘り座卓の蓋枠を補強桟上に載置した状態を示す図１の縦断面図である。
【図３】本発明の一実施例に係わる掘り座卓の蓋枠と床面との接続構造を示す要部の拡大した縦断面図である。
【図４】本発明の床面の樹脂板としての直線部材を示す縦断面図である。
【図５】本発明の床面の樹脂板としてのコーナー部材を示す平面図である。
【図６】本発明の床面の樹脂板としてのコーナー部材のＸ−Ｘ縦断面図である。
【図７】本発明の床面の樹脂板としてのコーナー部材のＹ−Ｙ縦断面図である。
【図８】本発明の開口部上面に配設した掘り座卓の蓋枠と床面との接続構造を示す要部縦断面図である。
【符号の説明】
Ａ　　　掘り座卓の蓋枠
Ｂ　　　樹脂板
１　　　掘り座卓の蓋枠本体
２　　　木口面
３　　　樹脂枠本体
４　　　係止部
５　　　床面
６　　　木口面
７　　　接触部
８　　　樹脂枠
９　　　両面テープ
１０　　コーナー部材
１１　　直線部材
１２　　空洞部
１３　　空気層
１４　　水平片
１５　　開口部
【図１】
2004143765.tif 000003
【図２】
2004143765.tif 000004
【図３】
2004143765.tif 000005
【図４】
2004143765.tif 000006
【図５】
2004143765.tif 000007
【図６】
2004143765.tif 000008
【図７】
2004143765.tif 000009
【図８】
2004143765.tif 000010